(57)【要約】  基板（１５）と、基板（１５）上に配され、基板（１５）の端部近傍に配置された複数の光源（２０）を含む照明アッセンブリ（１０）。制御回路は複数の光源（２０）に接続され、光源（２０）の作動モードを制御する。【選択図】  図１
2009515646.tif 000002
【特許請求の範囲】
【請求項１】
基板の端部に沿って配置された複数の凹部を有する基板と、
前記基板に配置された複数の光源であって、各光源がその光源に対応する前記凹部の深さよりも少しだけ大きい距離で前記基板の端部から延びる複数の光源と、
前記光源の作動モードを制御する前記複数の光源に接続された制御回路と
を有する履物用の照明アッセンブリ。
【請求項２】
前記複数の光源の一以上は、前記基板の平面の真上に配置されていることを特徴とする、請求項１に記載の照明アッセンブリ。
【請求項３】
前記複数の光源の一以上は、前記基板の平面の真下に配置されていることを特徴とする、請求項１に記載の照明アッセンブリ。
【請求項４】
前記複数の光源の一以上は、前記基板の平面内に配置されていることを特徴とする、請求項１に記載の照明アッセンブリ。
【請求項５】
前記基板は、履物品の踵付近に配置された第一セクション及び前記第一セクションから履物品の中足部付近に延びる第二セクションを有し、
前記第一セクションは構造部材を受け入れるのに適合する開口を有することを特徴とする、請求項１に記載の照明アッセンブリ。
【請求項６】
前記制御回路と結合したスイッチをさらに有することを特徴とする、
請求項１に記載の照明アッセンブリ。
【請求項７】
前記基板と前記複数の光源を封入する保護ケースをさらに備えることを特徴とする、
請求項１〜６の何れかに記載の照明アッセンブリ。
【請求項８】
前記保護ケースは底部に開口部を有する容器を有し、前記容器は前記基板の踵部付近に配置されていることを特徴とする、請求項７に記載の照明アッセンブリ。
【請求項９】
前記保護ケースは上部と底部を有し、前記アッセンブリは前記上部又は底部から延びる構造強化部材をさらに有し、
前記基板は前記構造強化部材と前記上部又は底部との間に挟まれていることを特徴とする、請求項７に記載の照明アッセンブリ。
【請求項１０】
前記上部と前記底部の一つに結合している足部をさらに有し、
前記基板は前記構造強化部材と前記足部に挟まれていることを特徴とする、
請求項９に記載の照明アッセンブリ。
【請求項１１】
前記構造強化部材は、前記保護ケースの長手方向の寸法に沿って延びる脈を有することを特徴とする、請求項１０に記載の照明アッセンブリ。
【請求項１２】
履物用照明アッセンブリと、
前記照明アッセンブリが配された凹部を有する半透明構造層とを有する履物用のソール・アッセンブリであって、
前記履物用照明アッセンブリが、
基板と、
前記基板に配された複数の光源であって、各光源が前記基板の端部から光源の長さよりも短い距離に延びる複数の光源と、
前記光源の作動モードを制御するように前記複数の光源に接続された制御回路とを有する、履物用のソール・アッセンブリ。      
【請求項１３】
靴底中部と外底とをさらに有し、
前記半透明構造層は前記靴底中部と前記外底に挟まれていることを特徴とする、
請求項１２に記載のソール・アッセンブリ。
【請求項１４】
前記基板は、履物の踵の近傍に配置された第一セクションと、
前記第一セクションから前記履物の中足部付近の点に延びる第二セクションとを有し、
前記第一セクションは開口を有し、
前記半透明構造層は前記開口を通じて延びるクッションを有することを特徴とする、請求項１３に記載のソール・アッセンブリ。
【請求項１５】
前記照明アッセンブリは前記基板を密封する保護ケースを有し、
前記保護ケースは底部に開口部を有する容器を有し、
前記開口部は前記基板の開口の位置に対して位置決めされていることを特徴とする、請求項１４に記載のソール・アッセンブリ。
【請求項１６】
アッパーと、
前記アッパーに取り付けられたソール・アッセンブリと、
半透明構造層とを有し、
前記ソール・アッセンブリは照明アッセンブリを含み、
前記照明アッセンブリは、
基板と、
前記基板に配置された複数の光源であって、各光源は前記基板の端部から前記光源の長さより小さい距離に延びる複数の光源と、
前記光源の作動モードを制御するように前記複数の光源に接続された制御回路とを有し、
前記半透明構造層は、前記照明アッセンブリが配される凹部を有する照明付き履物品。
【請求項１７】
靴底中部と外底を有し、前記半透明構造層は前記靴底中部と前記外底に挟まれていることを特徴とする、請求項１６に記載の履物品。
【請求項１８】
前記基板は、履物の踵の近傍に配置された第一セクションと、
前記第一セクションから履物の中足部付近に延びる第二セクションとを有し、
前記第一セクションは開口を有し、
前記半透明構造層は前記開口を通じて延びるクッションを有することを特徴とする、請求項１７に記載の履物品。
【請求項１９】
前記照明アッセンブリは基板を密封する保護ケースを有し、
前記保護ケースは底部に開口部を有する容器を有し、
前記開口部は前記基板の開口に対して位置決めされていることを特徴とする、
請求項１８に記載の履物品。
【請求項２０】
前記アッパーと関連して設けられ前記制御回路と電気的に接続するスイッチをさらに有することを特徴とする、請求項１６に記載の履物品。
【請求項２１】
電池を収納するのに適合するポーチを含むベロをさらに有する、請求項１６に記載の履物品。
【請求項２２】
基板と、
前記基板に配された複数の光源であって、各光源が前記基板の端部から光源の長さよりも短い距離に延びる複数の光源と、
前記光源の作動モードを制御する前記複数の光源に接続された制御回路とを有する照明アッセンブリ。
【請求項２３】
前記複数の光源の一以上が前記基板の平面の真上に配置されていることを特徴とする、請求項２２に記載の照明アッセンブリ。
【請求項２４】
前記複数の光源の一以上が前記基板の平面の真下に配置されていることを特徴とする、請求項２２に記載の照明アッセンブリ。
【請求項２５】
前記複数の光源の一以上が前記基板の平面内に配置されていることを特徴とする、請求項２２に記載の照明アッセンブリ。
【請求項２６】
前記基板は、履物の踵の近傍に配置された第一セクション及び前記第一セクションから前記履物の中足部付近の点に延びる第二セクションを有し、
前記第一セクションは構造部材を受け入れるのに適合する開口を有することを特徴とする、請求項２２に記載の照明アッセンブリ。
【請求項２７】
前記基板と前記光源を密封する保護ケースをさらに備えることを特徴とする、
請求項２２に記載の照明アッセンブリ。
【請求項２８】
半透明構造層に請求項２２に記載の照明アッセンブリを収容する工程と、
前記半透明構造層に外底を固定する工程と、
前記半透明構造層に中底を、外底と中底の間に前記半透明構造層が挟まるように固定する工程と、
前記中底にアッパーを固定する工程とを含む履物の製造方法。
【発明の詳細な説明】
【技術分野】
【０００１】
本発明は一般的に照明付き履物に関する。特に、改良された履物照明アッセンブリに関する。
【関連する技術】
【０００２】
照明付き履物は、その魅力及び安全面の理由から子供及び大人に普及している。多くの子供は、光と色に魅了され、歩行に応じて靴が明滅・点滅する時に特に喜ぶ。十代の若者及び若い大人は特に流行に敏感である。十代の若者及び若い大人はしばしば彼らの流行の好みに合わせてスニーカーを選択する。光で装飾されたスニーカー、スケート、靴、ブーツ及び他の履物品は、着用者に顕著なファッションのアイデンティティーを与える。
【０００３】
一般的に公知の履物は、例えば発光ダイオード（ＬＥＤｓ）のような一以上の光源と、電池の如き電源と、電力をＬＥＤｓに供給するためのスイッチを備えている。公知の照明付き履物にしばしば生じる問題としては、履物品の寿命に対し相対的に早くＬＥＤｓが作動不能になる傾向がある。通常の着用及び損耗では、ＬＥＤｓとスイッチの間の接続が破損するものと考えられている。これでは、履物品に部分的に又は全く照明がないため、魅力に欠ける外観を呈することとなってしまう。
【発明の開示】
【０００４】
代表的な実施形態では、本発明は履物品のための照明アッセンブリを含む。照明アッセンブリは、端部に沿って配置された複数の凹部を有する基板を含む。基板には複数の光源が取り付けられており、各光源はその光源に対応する凹部の深さよりも少しだけ大きい距離で基板の端部から延びている。光源の作動モードを制御する制御回路が複数の光源に接続されている。
【０００５】
本発明の他の実施形態では、履物用の新規なソール・アッセンブリは、基板と、基板に取り付けられた複数の光源とを含む照明アッセンブリを有し、各光源は基板の端部から光源の長さよりも小さい距離だけ延びている。制御回路は、複数の光源に接続されており前記光源の作動モードを制御する。照明アッセンブリを入れる凹部を有する半透明の構造層が供給される。
【０００６】
本発明のさらに他の実施形態においては、照明付き履物品は、アッパーと、アッパーに付着するソール・アッセンブリを含む。ソール・アッセンブリは、基板と、基板に取り付けられた複数の光源とを含む照明アッセンブリを有し、各光源は基板の端部から光源の長さよりも小さい距離だけ伸びている。制御回路は複数の光源に接続されており前記光源の作動モードを制御する。照明アッセンブリを入れる凹部を有する半透明の構造層が供給される。
【０００７】
本発明のさらに他の実施形態においては、照明アッセンブリは、基板と、基板に取り付けられ各光源が基板の端部から光源の長さよりも小さい距離だけ伸びている複数の光源及び光源の作動モードを制御する複数の光源に接続された制御回路を含む。
【０００８】
本発明のさらに別の実施形態においては、履物品の製造方法は、半透明の構造層に照明アッセンブリを入れる工程と、外底を構造層に貼る工程と、構造層が中底と外底の間に挟まるように中底を構造層に貼る工程及びアッパーを中底に付着させる工程とを含む。
【０００９】
図１は、本発明の第１実施形態に係る照明アッセンブリを示す。
【００１０】
図２Ａは、本発明の他の実施形態に係る照明アセンブリを示す。
【００１１】
図２Ｂは、図２Ａの照明アッセンブリの凹部及びＬＥＤを図示するものである。
【００１２】
図３は、図２の照明アッセンブリの選択箇所の分解図である。
【００１３】
図４は、本発明の一実施形態に係る保護ケースを図示するものである。
【００１４】
図５は、図４の保護ケースの断面図である。
【００１５】
図６は、本発明の一実施形態に係る履物品を示す。
【００１６】
図７は、本発明の他の実施形態に係る履物品を示す。
【００１７】
図８は、本発明のさらに他の実施形態に係る履物品を示す。
【００１８】
図９は、本発明の一実施形態に係る構造層を示す。
【００１９】
図１０は、本発明に係る靴底アッセンブリの分解図を示す。
【００２０】
図１１は、本発明のさらなる他の実施形態に係る履物品を示す。
【発明を実施するための最良の形態】
【００２１】
〔実施例〕
本発明は照明付きの履物品及び照明付き履物品の製造方法に関する。本発明の照明付き履物品は、好ましくは、複数の光源及び複数の光源を制御するための回路を有する照明アッセンブリと、例えば靴底、ベロ、履物の甲などの使用者により操作可能な一以上の照明領域と、照明アッセンブリに接合する電源とを含む。
【００２２】
図１は、本発明の照明アッセンブリの代表例を示す。照明アッセンブリ１０は、例えばプリント回路基板（ＰＣＢ）の如き基板１５を含み、基板はそれに電気的に接続される複数の発光ダイオード（ＬＥＤｓ）２０を有する。基板１５の寸法と形状及びＬＥＤｓ２０の数と配置は、所望の要求に応じて選択可能である。例えば、照明アッセンブリ１０は、足の踵と中足骨領域間の距離に実質的に対応する長手方向の寸法を有する。特に、図示の実施形態においては、基板１５は約１５ｃｍから約２０ｃｍの長さを有する。しかし、基板１５は履物品のサイズにより長くも短くもできる。いくつかの実施形態においては、基板１５は、踵の下部に配置することを意図する第１の領域と、この第１の領域から足の中足骨部へ長手方向に伸びる第２の領域を含んでも良い。
【００２３】
基板１５は、公知の硬質ＰＣＢ又は可撓性回路、例えばミネソタ州ノースフィールドのシェルダール・コーポレーションから入手可能なリールフレックス（登録商標）可撓性回路、ミネソタ州ノースランドのオールフレックス社から入手可能な可撓性回路、商品名Ｒ／ｆｌｅｘ１０００としてアリゾナ州チャンドラーのロジャース・コーポレーションから入手可能な可撓性回路を含んでも良い。上記は限定的なものではなく、基板１５は、当該技術の属する分野における通常の知識を有する者に公知の他の可撓性回路を含んでも良い。
【００２４】
図１に示すように、ＬＥＤｓ２０は基板１５の端又は周囲に沿って配されており、基板１５の周辺から僅かに突出するように基板上に配されている。好ましくは、ＬＥＤｓ２０は基板１５の端からＬＥＤの長さよりも小さく突出する。より好ましくは、ＬＥＤｓ２０は基板１５の端からＬＥＤの長さの半分よりも小さく突出する。ＬＥＤｓ２０は基板１５の真上、真下又は同じ平面に位置することができる。
【００２５】
他の実施形態では、図２Ａに示すように、基板１５は基板の周辺に沿った複数の凹部３５が配置されていても良い。各ＬＥＤ２０は、基板の平面の真上又は真下、或いはそれぞれの凹部３５内の基板の平面に位置するように、基板１５に配置されても良い。ＬＥＤｓ２０は、図２Ｂに示すように基板１５の周辺から凹部３５の深さＤよりわずかに大きい距離まで延びても良い。好ましくは、ＬＥＤｓ２０は基板１５の周辺から対応する凹部３５の深さＤより小さいか同じ距離だけ延びる。
【００２６】
ＬＥＤｓ２０に電気を供給するため、電源３０がＬＥＤｓ２０に接続されている。適切な電源３０は電池を含む。本発明の１実施形態によれば、基板１５は、１以上のバス２５又はＬＥＤｓ２０と電源コネクタ３０を相互接続する他の接続機構と共に供給されても良い。図１にはＬＥＤｓ２０のシンプルな直列接続が示されているが、本発明に即しては、２以上のＬＥＤｓは直列又は並列にさまざまに接続されても良い。例示的な実施形態において、照明アッセンブリ１０は、例えば９Ｖの電池のように、電池により作動するように設計されている。したがって、基板１５は、電池自体又はその上に電池を置くことができるクッションを受容する切欠き部４５を含んでも良い。切欠き部４５は、基板１５の第１の領域内に位置するのが好ましい。
【００２７】
他の実施形態においては、照明アッセンブリ１０は代替の電源により作動されても良い。したがって、これらの実施形態においては、切欠き部４５は存在せずとも良い。
【００２８】
照明アッセンブリ１０は、さらにＬＥＤｓ２０の動作を制御する制御回路４０を含む。制御回路４０は、例えば、プリント回路基板の部分のように基板１５上に配されてもよく、また基板１５と離れて配されて基板１５と電気的に接続されても良い。制御回路４０はスイッチと結合され、スイッチが作動すると１以上の作動モード又は照明モードでＬＥＤｓ２０を駆動する。
【００２９】
作動モードの選択に基き、要求される多様な視覚効果が創造できる。したがって、制御回路４０は、ＬＥＤｓ２０を如何なる要求の照明モードでも駆動するように構成されても良い。例示的な照明モードとして、連続照明モード、ＬＥＤｓ２０が規則的又は不規則な間隔で点滅する点滅照明モード、ＬＥＤｓ２０が所定の又はランダムの順序で光る連続照明モードがある。ＬＥＤｓ２０を様々な照明モードで駆動するのに適した制御回路はこの技術の属する分野における通常の知識を有する者に公知であるため、制御回路４０の詳細はここでは示さず記載しない。例示的な照明回路は米国特許第５， ６６３，６１４号及び米国特許第５，８１２，０６３及び米国特許第６，９０６，４７２Ｂ２に記載されている。
【００３０】
同様に、要求される様々な視覚効果はＬＥＤｓ２０の配置によって達成できる。ＬＥＤｓ２０は、基板１５の略周囲に均等に配されてもよく、或いは一定のパターンで配されても良い。ＬＥＤｓ２０は、例えば色彩、形状及び輝度が一様な特性でもよく、或いは異なる特性でも良い。したがって、要求される視覚効果により、ＬＥＤｓ２０は色彩が一緒にグループにされてもよく、或いはＬＥＤｓ２０は一定の色彩パターンを形成するように配置されても良い。同様に、ＬＥＤｓ２０は、輝度が一緒にグループ化されてもよく、或いは様々な輝度パターンに配置されても良い。
【００３１】
照明アッセンブリ１０は通常履物品のソール内又は靴底内に設けられる。使用者がランニング、ジャンプ又は歩行の際の体重による衝撃の力によりＬＥＤｓが基板１５から剥離するのを防止するために、いくつかの実施形態では、図４に示すように基板１５は保護ケース５０に封入されても良い。保護ケース５０は、強くて丈夫な材料、例えば硬質プラスチック又は硬質ゴムから構成されるのが好ましい。本発明の一実施形態においては、保護ケース５０は容器５５、例えば箱であり、好ましくは基板１５の踵付近に配置され、電池又は電池を置くことができるクッションを受容するための基板１５内の開口４５に対応するように、底に開口部５７を有するものを含むことができる。容器５５内への電池の収容は、履物品の通常の使用により発生する衝撃の力による意図しない電池の断線を低減する。
【００３２】
また、基板１５のさらに保護するために、いくつかの実施形態においては保護カバー５０には構造強化部材が設けられている。図４に示される実施形態では、構造強化部材は、保護ケース５０の長手方向に沿って延びるモールド脈６０である。モールド脈６０は保護ケース５０と一体成型されるのが望ましい。保護ケース５０は二つのピース構造を有してもよく、図５に示すように、基板１５はモールド脈６０と上部又は下部ピースの一方との間に挟まれても良い。このような構成においては、保護ケース５０は、摩擦嵌合、スナップ嵌合、螺子のような適切なクロージャ機構６５によって保持されても良い。一般的な保護ケース５０としては宝石用包装箱でも良い。
【００３３】
いくつかの実施形態においては、保護ケース５０は、基板１５が脈６０及びスペーサ６２の間に挟まれるようなスペーサ６２を有しても良い。また他の実施形態においては、保護ケース５０は、基板１５が保護ケース５０に埋設されるように、基板１５の周囲にモールドされても良い。
【００３４】
履物品
本発明に則してみれば、照明アッセンブリ１０は、例えば履物品のソール又は底部に照明アッセンブリを取り付けることにより、履物品に組み込まれても良い。本発明の一般的な履物品には、運動靴、カジュアル靴、カジュアルブーツ、例えばハイキングブーツ又はスキーブーツ等のヘビーデューティーブーツ、イン−ラインや４輪のスケート靴、スリッパ、雪駄やビーチサンダルその他が含まれるが、これらには限定されない。下記は、本発明に係る運動靴及び運動靴用のソール・アッセンブリの実施形態である。
【００３５】
図６は、本発明の他の実施形態に係る一般的な履物品１００を示す。履物品１００は、アッパー１１０に付されるソール・アッセンブリ１０５を含む。照明アッセンブリ１０は、ソール・アッセンブリ１０５内に配置される。ソール・アッセンブリ１０５は、半透明な周囲の表面１１５を含み、これを通じて照明アッセンブリ１０からの光が透過する。
【００３６】
ソール・アッセンブリ１０５は、１以上の層部材内に配置されるか又はこれらの間に挟まれた照明アッセンブリ１０を含んでも良い。一実施形態においては、図９に示すように、ソール・アッセンブリ１０５は、照明アッセンブリ１０を受けるように構成される凹部２１７を有する透明又は半透明の構造層２１５を含む。照明アッセンブリ１０（図９では図示しない）は凹部２１７内に嵌められており、作動に応じて構造層２１５を通じて光が透過する。
【００３７】
別の実施形態においては、図１０に示すように、ソール・アッセンブリ１０５は、中底２１０と外底２２０の間に挟まれた透明又は半透明の構造層２１５を含む。照明アッセンブリ１０（図１０では図示しない）は、構造層２１５の凹部２１７内に入れるのが好ましい。あるいはまた、ソール・アッセンブリ１０５は外底２２０と構造層２１５のみを含んでもよく、また中底２１０と構造層２１５のみを含んでも良い。
【００３８】
本技術の慣習として、中底２１０は１以上の以下の材料：発泡ＥＶＡ（エチレン酢酸ビニル）、フィロン（Ｐｈｙｌｏｎ）、ポリウレタン及びフィライト（Ｐｈｙｌｉｔｅ）から構成されても良い。外底２２０は１以上の以下の材料：ＢＲＳ１０００又はカーボンラバー、固形ゴム、耐久性ゴム化合物（ＤＲＣ：ｄｕｒａｂｌｅ  ｒｕｂｂｅｒ  ｃｏｍｐｕｎｄ）、耐久性ゴム又はゴム状物質の組み合わせから構成されても良い。構造層２１５は、一般的に１以上の気泡体を包含するウレタン材料から構成されても良い。
【００３９】
本発明に則してみれば、履物品は、照明アッセンブリ１０の作動・非作動のため接続されるユーザー作動可能スイッチ１２５有しても良い。ユーザー作動可能スイッチ１２５は、アッパー１１０と関連して設けられても良い。すなわちアッパー１１０の材料内に存在してもよく又はアッパー１１０の外面に露出しても良い。さらに、ユーザー作動可能スイッチ１２５は履物品の何処に位置しても良い。図６はアキレスの踵に隣接するアッパー１１０の側部に配置され突出しているユーザー作動可能スイッチ１２５を示している。しかしながら、他の実施形態ではユーザー作動可能スイッチ１２５はアッパー１１０の側部に位置しても良く、例えば、図７に示すようにアッパー１１０の材料の内部に存在しても良い。また他の実施形態では、ユーザー作動可能スイッチ１２５は図８に示すようにベロ１３０の内部に配されても良い。
【００４０】
様々な種類のユーザー作動可能スイッチが本発明の履物品に適している。したがって、ユーザー作動可能スイッチ１２５は、押し釦スイッチ、トグルスイッチ、スライドスイッチ、感圧スイッチその他でも良い。モード選択を容易にするために、複数のモードで照明アッセンブリが稼働する実施形態においては押し釦スイッチが好ましい。
【００４１】
本発明に係る履物品は、ソール・アッセンブリ１０５を形成し、靴のアッパーにソール・アッセンブリ１０５を接合して構成しても良い。図６に示すような一般的なソール・アッセンブリ１０５は、構造層２１５に照明アッセンブリ１０を入れ、構造層２１５に外底２２０を固定し、そして中底２１０を構造層２１５と外底２２０との結合体に、構造層２１５がこれらの間に挟まるようにして形成しても良い。当業者にとって自明であるが、所望の場合には、中底２１０と外底２２０の一つ又は両者はソール・アッセンブリ１０５から除去されても良い。
【００４２】
照明アッセンブリ１０の電池又は電源は、ソール・アッセンブリ１０５内、ベロ１３０内、又は履物品の他の場所に配置されても良い。電池をソール・アッセンブリ１０５に収納するには、構造層２１５は、切欠き部４５を通じて延び、容器５５の底の開口部５７を通る電池クッション２３０を含んでもよく、これにより電池は容器５５内にこぢんまりと入る。容器５５内に電池を入れるか又は電池を電池クッション２３０に置くことは、履物品の通常の使用中に時々起こる無用な電池の断線を低減させるのに役立つと考えられている。
【００４３】
無用の電池の断線をさらに低減するため、一実施形態では、電池は履物品のベロ１３０内に配置される。例えば、ベロ１３０は電池を収容するのに適したサイズの袋を備えることができる。この実施形態においては、制御回路４０はソール・アッセンブリ１０５内に封入及び配置されても良く、例えば、外底２２０の踵部内に配され電池及びＬＥＤｓ２０と接続している。
【００４４】
本発明の態様に関連して、要望される視覚効果を最大限にするには、ソール・アッセンブリ１０５は様々な形状で配置される完全に透明な領域１４０であっても良く、又は半透明な領域１４０を含んでもよい。例えば、図６は、一般的に不透明なバリア１４２から離間した半透明な領域１４０を示している。幾つかの適用例では、半透明な領域１４０は、例えば語、フレーズ、数値句のメッセージを表示するために配置された英数文字の形状でも良い。図１１を見れば、例示的なメッセージは、靴製造者の名前や、着用者の名前、そして運動選手の場合には、チームの名前、学校の名前及び選手の番号を含むが、これらには限定されない。
【００４５】
半透明な領域１４０は、異なるパターンの数にしたがって照明される。本発明の一観点によれば、半透明な領域は実質的に均一に照らされても良く、或いは異なる領域が異なる輝度レベルで照らされても良い。本発明の他の観点によれば、半透明の領域は同期的、順序的又は如何なる所望のパターンによって照らされても良い。
【００４６】
本発明は具体的な実施形態を参照して記載されているが、この記載は限定的な意味に解釈することを意図するものではない。開示された実施形態の様々な改変や他の選択的な実施形態は当業者にとって明らかである。したがって、添付のクレームは、本発明の真の範囲内の全ての改変を包括することを意図している。
【図面の簡単な説明】
【００４７】
【図１】図１は、本発明の第１実施形態に係る照明アッセンブリを示す。
【図２Ａ】図２Ａは、本発明の他の実施形態に係る照明アセンブリを示す。
【図２Ｂ】図２Ｂは、図２Ａの照明アッセンブリの凹部及びＬＥＤを図示するものである。
【図３】図３は、図２の照明アッセンブリの選択箇所の分解図である。
【図４】図４は、本発明の一実施形態に係る保護ケースを図示するものである。
【図５】図５は、図４の保護ケースの断面図である。
【図６】図６は、本発明の一実施形態に係る履物品を示す。
【図７】図７は、本発明の他の実施形態に係る履物品を示す。
【図８】図８は、本発明のさらに他の実施形態に係る履物品を示す。
【図９】図９は、本発明の一実施形態に係る構造層を示す。
【図１０】図１０は、本発明に係る靴底アッセンブリの分解図を示す。
【図１１】図１１は、本発明のさらなる他の実施形態に係る履物品を示す。
【図１】
2009515646.tif 000003
【図２Ａ】
2009515646.tif 000004
【図２Ｂ】
2009515646.tif 000005
【図３】
2009515646.tif 000006
【図４】
2009515646.tif 000007
【図５】
2009515646.tif 000008
【図６】
2009515646.tif 000009
【図７】
2009515646.tif 000010
【図８】
2009515646.tif 000011
【図９】
2009515646.tif 000012
【図１０】
2009515646.tif 000013
【図１１】
2009515646.tif 000014
【国際調査報告】
2009515646.tif 000015
2009515646.tif 000016